(57)【特許請求の範囲】
【請求項１】
逆転方向に回転する爪軸５に複数個の代掻爪６を設け、回転部を覆うロータリカバー９の前縁部を地表面に接近させると共にロータリカバー９の下端部に中空状の補強パイプ８を固着し、ロータリカバー９の内側と回転する代掻爪６の軌跡との間隔を、前縁側が狭く後縁側が広くなるよう構成した逆転代掻装置において、前記ロータリカバー９の後部に櫛歯状のツース体１６を装着すると共に、このツース体１６に対して後方から接近・離間調節自在な後部カバー１０を設けたことを特徴とする逆転代掻装置。
【請求項２】
前記ツース体１６と後部カバー１０の彎曲形状が略同一に形成され、後部カバー１０をツース体１６に接近させたときには両者が前後方向で重なるように構成されていることを特徴とする請求項１記載の逆転代掻装置。
【請求項３】
逆転方向に回転する爪軸５に複数個の代掻爪６を設け、回転部を覆うロータリカバー９の前縁部を地表面に接近させると共にロータリカバー９の下端部に中空状の補強パイプ８を固着し、ロータリカバー９の内側と回転する代掻爪６の軌跡との間隔を、前縁側が狭く後縁側が広くなるよう構成した逆転代掻装置において、ロータリカバー９の後上部を開口してこの開口部４０に開口量調節自在な開閉カバー４２を設け、さらにその後方に櫛歯状のツース体１６を装着したことを特徴とする逆転代掻装置。
【発明の詳細な説明】
【０００１】
【発明の属する技術分野】
この発明は、代掻き及び砕土が可能な逆転代掻装置に関する。
【０００２】
【従来の技術】
従来、代掻作業機としては耕耘軸に複数個の代掻爪を取り付けて形成した代掻ロータを地面に対して上から下に向かう正転方向に回転させながら土壌を耕起するものが知られている。
【０００３】
代掻作業では荒い土塊を細かく砕土して均平に整地するだけでなく耕土中の藁稈や夾雑物を土中に埋没処理させることが必要であり、このため、代掻作業機の後部カバーにはこれら夾雑物等を土中に深く埋没させるためにスプリングレーキを設けている。
【０００４】
【発明が解決しようとする課題】
上記従来装置にあっては、代掻ロータが正転方向に回転して耕起した土を後方に放擲する構成であるから稲株や土塊も代掻爪で切り取られてそのまま後方へ放擲され、後部カバーで押さえるだけではこれらを十分に土中に埋没させることができないという問題点があり、また、たとえスプリングレーキを設けていても藁稈や夾雑物等がこのスプリングレーキに引っ掛かる恐れがあり、代掻き後の整地跡が美麗でなく、きれいに仕上げるためには何度も代掻作業を行って稲藁等が表面に出ないようにしなければならず、時間が掛かって作業能率を大きく低下させていたのである。
【０００５】
そこで、出願人は、以前に代掻ロータを逆転させて砕土性を上げると共に藁稈や夾雑物等の埋没性を向上させたものを提案したが、このものは、圃場の土質条件や作業の目的に応じた極めの細かい調節機構がロータリカバー部に設けられておらず、特に畑地での砕土作業に適したものとは言い難かった。
【０００６】
【課題を解決するための手段】
この発明は、構造が簡単で藁稈や夾雑物等を確実に土中に埋没させることができ、しかも、代掻作業中の馬力もさほど喰わず、少ない回数で代掻き作業が行なえるだけでなく、作業の目的、土質条件に応じてきめ細かく対応できる逆転代掻装置を提案することを目的とし、このため、次のような技術的手段を講じた。
【０００７】
即ち、請求項１の発明は、逆転方向に回転する爪軸に複数個の代掻爪６を設け、回転部を覆うロータリカバー９の前縁部を地表面に接近させると共にロータリカバーの下端部に中空状の補強パイプ８を固着し、ロータリカバー９の内側と回転する代掻爪６の軌跡との間隔を、前縁側が狭く後縁側が広くなるよう構成した逆転代掻装置において、前記ロータリカバー９の後部に櫛歯状のツース体１６を装着すると共に、ツース体１６に対して後方から接近・離間調節自在な後部カバー１０を設けたことを特徴とする逆転代掻装置とした。
【０００８】
請求項２の発明は、前記ツース体１６と後部カバー１０の彎曲形状が略同一に形成され、後部カバー１０をツース体１６に接近させたときには両者が前後方向で重なるように構成されていることを特徴とする請求項１記載の逆転代掻装置とした。
【０００９】
また、請求項３の発明は、逆転方向に回転する爪軸５に複数個の代掻爪６を設け、回転部を覆うロータリカバー９の前縁部を地表面に接近させると共にロータリカバー９の下端部に中空状の補強パイプ８を固着し、ロータリカバー９の内側と回転する代掻爪６の軌跡との間隔を、前縁側が狭く後縁側が広くなるよう構成した逆転代掻装置において、ロータリカバー９の後上部を開口してこの開口部４０に開口量調節自在な開閉カバー４２を設け、さらにその後方に櫛歯状のツース体１６を装着したことを特徴とする逆転代掻装置とした。
【００１０】
【作用】
代掻作業を行なう場合、まず、トラクターの後部に代掻作業機１を昇降自在に連結すると共に、トラクター側の動力を代掻作業機１側の入力軸３に伝えて代掻爪軸５を逆転させる。代掻爪軸５に取り付けられている代掻爪６が土を水と共に切り取り、これらをロータリカバー９の内側に持ち回りながら後方へ放擲する。このとき、逆転する代掻爪６により泥水は前方へ追いやられ、ロータリカバー９の前縁下部には水が溜まる状態となる。水が多い状態で土や稲株等が代掻爪６により捏ね回され、細かく砕土されると共に泥水はロータリカバー９の内側に一番近い部分を通過して後方へ排出され、比重の大きい土や稲株等がその下方（爪軸に近い側）を通過して後方へ放擲される。
【００１１】
このため、大きな土塊や稲株は下層に堆積し、細かな土や水はその上に堆積して稲藁等が表面に現れず代掻作業跡を美麗にすることができる。
一方、畑地で播種作業等を行なうべく土壌を細かく砕土する場合にはツース体１６後方の後部カバー１０をツース体１６から離間させた状態でこれを固定し、あるいはロータリカバー９の後上部に枢着された開口量調節自在な開閉カバー４２を開けて土がこの開口部４０を通ってツース体１６側に流れるように調節固定する。この状態でロータリ部を回転させながら機体を前進させると、大きな土塊は彎曲するツース体１６に案内されて土壌の下方に埋め込まれ、ツース体１６を通過した細かな土がその上に堆積して後の播種作業に適した土壌構造が得られる。
【００１２】
【実施の形態】
以下、図面に示す実施例に基づいて、この発明の実施例を説明する。まず、構成から説明すると、図１において符号１は左右方向に所定の長さを有するロータリ代掻作業機で、図示を省略したトラクターの後部に３点リンク機構を介して昇降自在に連結される。
【００１３】
この代掻作業機１はトラクターのＰＴＯ軸（図示省略）からユニバーサルジョイント２を介して代掻作業機１の入力軸３に動力が伝達され、更に作業機１側に設けた伝動ケース４内のチェン・スプロケット機構等を順次介して代掻爪軸５を回転させる。
【００１４】
爪軸５の回転方向は地面に対して代掻爪６が下から上に向かう逆転方向（図１の矢印Ａ方向）となるように設定されている。代掻爪軸５には複数個の代掻爪６が着脱自在に取り付けられており、この代掻爪６に代えて耕耘爪、砕土爪を付け、爪軸の回転数を変更して耕耘作業、砕土作業をすることも可能である。
【００１５】
代掻爪軸５と代掻爪６とで構成される回転部の上方には回転部を覆うべく側面視円弧状のロータリカバー９が設けられ、このロータリカバー９はその前縁下部が地表面近くまで下方に延長され、下端には中空状のパイプ８が左右横方向に延設されている。このようにロータリカバー９の下端縁に補強パイプ８を設けることによって石、土塊、木片等のロータリカバー９内への侵入を防止すると共に、逆転する代掻爪６とこのパイプ８とによって代掻爪６が土を切り込む際の砕土性を上げるようにしている。
【００１６】
又、代掻爪６の回転軌跡とロータリカバー９の内側との間隔が、前側では狭く後側に至るに従って末広がり状に大きくなる関係に間隙を設定している。
更にロータリカバー９の後部には角度調節ができる後部カバー１０が取り付けられている。後部カバー１０は支点１２を中心としてその揺動角度の調節が行なえるものであって、レバー１３を支点１２廻りに回動させることによって後部カバー１０の角度が変更される。
【００１７】
なお、この実施例では、図２に示すようにレバーガイド１４に設けた前側係止溝１５ａと後側係止溝１５ｂとにレバー１３のアーム１３ａを択一的に係合させることによって、前後２段の切り替えが行なえるようにしている。後部カバー１０の傾きは係止溝１５の数を増やせば２段以上の調節が可能である。
【００１８】
また、この実施例のように係止溝１５にレバーアーム１３ａを係合させる形態を取らず、ターンバックル（図示省略）を回すことによってその揺動角度の調節が行なえるように構成してもよい。
１６は緩やかな円弧状に彎曲する櫛歯状のツース体であって、ロータリカバー９の後部に装着されており、代掻爪６によって後方に放擲された土をこのツース体１６で細かく砕き、大きな土塊は土中に埋め込まれていく。
【００１９】
なお、図１に示す実施例においてツース体１６の下部における接線と地表面とが成す角度は５５°〜６５°の範囲に設定している。図１において、レバー１３を点線で示すように前側に倒して前側係合溝１５ａに係合させると後部カバー１０はツース体１６から離間し、反対にレバー１３を実線のように後方に倒してレバーアーム１３ａを後側係合溝１５ｂに係止させるとツース体１６と後部カバー１０とが前後方向において重なり合うようにしている。この重なった状態が代掻時、離間した状態が砕土時である。
【００２０】
この実施例においては、前記ツース体１６の取付角度が５５°〜６５°の範囲に設定してあるので後部カバー１０を重ねた場合も略同じ角度が確保できる。
上記範囲を越えて角度が大きくなると代掻爪６によって砕土反転された土塊や稲株が後方に放擲されずに回転部に再び巻き込まれ、この結果、馬力を多く消費するという問題点があり、反対に後部カバー１０を寝かせて角度を小さくすると稲株や藁稈等の夾雑物、土塊が水面に浮遊したりして見栄えが悪く仕上がり跡が美麗になり難いという問題点があった。ところが、前記角度範囲にすると代掻作業時にロータリカバー９内に持ち回られた土塊や稲株等は遠心力により土中に埋没させられ、細かい泥や水はその上に堆積するため仕上がり跡がきれいである。
【００２１】
また、この実施例では、ロータリカバー９と代掻爪６の回転軌跡の間隔について、その前縁下部の間隔は約５ｍｍ程度に設定しており、このようにロータリカバー入口部分の間隔を狭くすることによって大きな石や硬い土塊が挟まれるのを防止している。出願人が確認したところ、この程度の間隔でも泥水の吸い込みには全く支障がなく、回転する代掻爪６によって上方に持ち回られた土塊は水分を吸収した状態で更に細かく砕土される。
【００２２】
なお、図１において、符号１９は角パイプ１８に支点１７を中心として揺動自在に枢着された鎮圧板である。鎮圧板１９は、前記角パイプ１８から後方へ向けて突設された腕杆２１，２１と、腕杆２１，２１から垂下された加圧棒２２，２２とによって下向に押圧されている。鎮圧板１９はこのように常時下向に加圧付勢されているためにその下端縁で地表面を均平に押圧することができる。
【００２３】
鎮圧板１９の後部には均平板２３が支点ピン２４廻りに上下揺動自在に枢着されており、均平板２３の下部には夾雑物を土中に埋め込むためのスプリングレーキ２５が幅方向に沿って複数個設けられている。代掻作業時には均平板２０の前部を僅かに起こして使用し、夾雑物を後方へ送りながら前記スプリングレーキ２５で押さえる。
【００２４】
なお、前記均平板２３は均平作業だけでなく土寄せ作業にも使用されるものであって、前記角パイプ１８から突設された腕杆２７にロッド２８の中間部を枢着し、このロッド２８の下端部を均平板２３に枢着している。ロッド２８の上端には前後方向に沿わせて別のロッド３０が枢着され、このロッド３０の先端にはハンドル３２を設け、トラクターに乗ったままで作業者がこのハンドル３２を握ってこれを適宜操作すれば前記均平板２３の角度が変わるようにしている。
【００２５】
例えばハンドル３２を後方へ押すとロッド３０、２８を介して均平板２３が起立し、均平板２３の前面を利用して土寄せ作業が行なえるように構成している。同図において、符号３３，３３は入力軸３を支持するギヤケース３４の左右両側に設けられた側板、３５はロータリ代掻作業機１側のロータリマスト、３６はトラクター側に装着されるクイックヒッチ、３７はトップリンク、３８はサイドプレート、３９はコネクトパイプである。
【００２６】
次に図４乃至図６に示すロータリ代掻作業機について構成を説明する。
ここで説明する代掻作業機は前記実施例で説明した作業機の構成の一部を改良したものである。構成が前記実施例と同じものについては同一の符号を付し、全く新規な構成については別符号を付けて構成を説明するものとする。
【００２７】
両者の構成上の違いは、前者にあってはロータリカバー９の後上部に、ロータリカバー９と同じ半径で彎曲するツース体１６を取付けるように構成し、このツース体１６に後方から後部カバー１０が接近あるいは離間するように構成したのに対して、図４乃至図６で説明するロータリ代掻作業機は、ロータリカバー９の後上部を幅方向一杯に切り欠いてここに開口部４０を形成し、この開口部４０を開口量調節自在な開閉カバー４２で覆うようにした点にある。もっと判り易く説明すると回転部を覆うロータリカバー９を前後方向において３分割し、前側ロータリカバー９ａ、前側ロータリカバー９ａの後端に枢支された開口量調節用開閉カバー４２、その下方に設けられた後側ロータリカバー９ｂからなり、開口量調節用開閉カバー４２を閉鎖したときには、３つのカバー９ａ，４２，９ｂが連続状に繋がって弧状に彎曲した１枚のカバー体を構成し、一方、中央の開口量調節カバー４２を支点４４廻りに上向きに回動させるとこの開閉カバー４２の下端と後側ロータリカバー９との間に開口部４０が形成されてこの開口部４０から後方のツース体１６へ向けて流出するようにしている。
【００２８】
代掻作業を行なう場合には前記開口量調節用の開閉カバー４２を閉じて土が後方に流出しない状態に固定し、この状態で各回転部を回転させながら機体を前進させる。一方、畑で播種作業等を行なうべく土壌表面を細かく砕く場合には、開口量調節用開閉カバー４２を開き側に回動させ、レバー１３のアーム１３ａをレバーガイド１４の前側係止溝１５ａに係止させる。
【００２９】
次に前記２つの実施例の作用について説明する。
図１乃至図３において代掻作業を行なう場合には、レバー１３を握って後部カバー１０を閉鎖側に回動させ、この後部カバー１０をツース体１６の背面に重ならせる。この状態で各回転部を駆動させて機体を前進させる。トラクターのＰＴＯ軸側の回転動力がユニバーサルジョイント２を介して入力軸３に伝達されると、その回転動力は伝動ケース４内のチェンスプロケット機構を介して代掻爪軸５に伝達され、逆転する代掻爪６によって土壌は上向きに持ち上げられる。同時に泥水は前方に追いやられ、ロータリカバー９前縁部の内側に水を多く溜め込んだ状態で代掻きがなされる。このとき、ロータリカバー９と代掻爪の回転軌跡とで形成される隙間は僅かなものであるから、大きな土塊や石などがこの隙間に入り込むようなことがなく、詰まりが生じないから代掻作業を中断されることもなく代掻作業を円滑に行なうことができる。
【００３０】
しかも、大きな土塊は逆転する代掻爪６で確実に砕かれ、ロータリカバー内において後方へ放擲されてもロータリカバーと代掻爪６の回転軌跡とで形成される隙間は後側が前側よりも大きいので作業時に馬力を喰うことがなく、また、大きな土塊や稲藁等は下層に、小さな土や泥水はその上に堆積するので、夾雑物が全く見えず代掻作業後の仕上がり具合が美麗となるものである。
【００３１】
一方、この作業機１を用いて砕土作業を行なう場合には、レバー１３を前方に倒してレバー１３のアームを前側の係合溝１５ａに係合させ、後部カバー１０を開けて土の後方への移動を可能にする。
逆向きに回転する爪によって後方に放擲された土はツース体１６の櫛歯の間を通過することができ、このときに細かく砕土され、砕土された土が土壌の表面に溜まり、鎮圧板１９によって押圧される。このとき、大きな土塊や稲藁はツース体１６に案内されて土壌深くに埋め込まれる。
【００３２】
一方、図４乃至図６に示す代掻作業機の場合、代掻作業を行なうときには中央の開閉カバー４２を閉じて1枚のカバー体を形成し（図４の実線の状態）、この状態で各回転部を駆動させながら機体を前進させる。この場合の作用は前記実施例と同じである。逆転する代掻爪６によって土は上向きに持ち上げられ、ロータリカバー９の前縁部の内側に水を多く溜め込んだ状態で代掻き作業がなされ、大きな土塊や稲藁等は後方へ放擲されることなく土中に埋め込まれていく。そして、この実施例において、砕土作業を行なうときには開閉カバー４２を開け、逆転する爪によって後方に放擲された土を開口部４０からツース体１６側へ向けて流出させる。このとき、大きな土塊や稲藁は下側のロータリカバー９の彎曲内周面に案内されて土中に埋め込まれ、ツース体１６によって砕かれた土がその上に堆積する。
【００３３】
【発明の効果】
この発明は、以上のように構成したので次のような技術的効果を奏する。
即ち、請求項１の発明は、逆転方向に回転する爪軸に複数個の代掻爪６を設け、回転部を覆うロータリカバー９の前縁部を地表面に接近させると共にロータリカバーの下端部に中空状の補強パイプ８を固着し、ロータリカバー９の内側と回転する代掻爪６の軌跡との間隔を、前縁側が狭く後縁側が広くなるよう構成した逆転代掻装置において、前記ロータリカバー９の後部に櫛歯状のツース体１６を装着すると共に、ツース体１６に対して後方から接近・離間調節自在な後部カバー１０を設けたことを特徴とする逆転代掻装置としたので、後部カバー１０を回動操作するという単純な操作だけで、代掻作業も砕土作業もこなすことができ、１台の作業機を有効に活用できる。
【００３４】
また、請求項２の発明は、前記ツース体１６と後部カバー１０の彎曲形状が略同一に形成され、後部カバー１０をツース体１６に接近させたときには両者が前後方向で重なるように構成されていることを特徴とする請求項１記載の逆転代掻装置としたので、代掻作業時には不要なツース体１６が全く邪魔にならず、作業機の前後長を短くすることが可能となり、作業機全体の構成も簡潔でコンパクトにできる。
【００３５】
また、請求項３の発明では、逆転方向に回転する爪軸５に複数個の代掻爪６を設け、回転部を覆うロータリカバー９の前縁部を地表面に接近させると共にロータリカバー９の下端部に中空状の補強パイプ８を固着し、ロータリカバー９の内側と回転する代掻爪６の軌跡との間隔を、前縁側が狭く後縁側が広くなるよう構成した逆転代掻装置において、ロータリカバー９の後上部を開口してこの開口部４０に開口量調節自在な開閉カバー４２を設け、さらにその後方に櫛歯状のツース体１６を装着したことを特徴とする逆転代掻装置としたので、代掻作業と砕土作業との使い分けが容易で1台の作業機を有効に活用することができると共に、開閉カバー４２によって開口部４０の開口量を調節するようにすれば、土壌条件、作業目的に応じて砕土性を変更調節することができる。
【図面の簡単な説明】
【図１】代掻作業機の側面図である。
【図２】要部の拡大斜視図である。
【図３】図１の背面図である。
【図４】代掻作業機の側面図である。
【図５】要部の斜視図である。
【図６】図４の背面図である。
【符号の説明】
１    代掻作業機
３    入力軸
４    伝動ケース
５    代掻爪軸
６    代掻爪
９    ロータリカバー
１０  副ロータリカバー（後部カバー）
１４  鎮圧板
１５  係止溝
１６  ツース体
１９  鎮圧板
２３  均平板
【図１】
0003837340.tif 000002
【図２】
0003837340.tif 000003
【図３】
0003837340.tif 000004
【図４】
0003837340.tif 000005
【図５】
0003837340.tif 000006
【図６】
0003837340.tif 000007